(57)【要約】【課題】電線保護チューブの保持力を向上させ、保持体から電線保護チューブが外れることを防ぐ電線保護チューブ保持装置を提供することを目的とする。【解決手段】電線カバー１は、互いに半割りにされた本体部１０および蓋部３０の内周面にそれぞれ形成した係止溝１３、３２および係止突部１４、３３に、コルゲートチューブ４０の突条部４１および溝部４２を係合させ、本体部１０および蓋部３０を互いに係合させることによってコルゲートチューブ４０を保持する。本体部１０の内周面に軸方向に延びる突起部１８を形成し、コルゲートチューブ４０の外周面の１箇所に軸方向に延びるスリット４３を形成して、コルゲートチューブ４０を本体部１０に載置する時に、突起部１８をスリット４３に挿入することによって、コルゲートチューブ４０を半径方向に拡張させ、コルゲートチューブ４０の外周面を電線カバー１の内周面に当接させる。【選択図】  図６
2004357386.tif 000002
【特許請求の範囲】
【請求項１】
半割りにされて互いに係合する一対の保持体を備え、前記保持体の各々の内周面に交互に配置された係止突部と係止溝に、それぞれ電線保護チューブの外周面に形成された溝部と突条部を係止させて、前記一対の保持体を互いに係合させることによって前記電線保護チューブを保持する電線保護チューブ保持装置において、
前記電線保護チューブの周上の１箇所には、前記電線保護チューブの軸方向に延びるスリットを形成するとともに、前記一対の保持体の一側の内周面には、前記スリットに挿入されることによって前記スリットを拡開させ、前記電線保護チューブの外周面を前記保持体の内周面に当接させる突起部を形成したことを特徴とする電線保護チューブ保持装置。
【請求項２】
前記突起部が形成された前記一側の保持体には、前記電線保護チューブを前記一側の保持体と係合させる時に、前記スリットを配置する位置の目印となるマーク部が形成されたことを特徴とする請求項１記載の電線保護チューブ保持装置。
【発明の詳細な説明】
【０００１】
【発明の属する技術分野】
本発明は、半割りにされた一対の保持体を係合させることによって、電線保護チューブを保持する電線保護チューブ保持装置に関する。
【０００２】
【従来の技術】
電線保護のためのコルゲートチューブを含んだまま、半割りにされた一対のカバーを互いに係合させることによって、コルゲートチューブを保持する電線カバーがあった（例えば、特許文献１参照）。
【０００３】
【特許文献１】
特開平１０−２７６４５号公報（第２図）
【０００４】
【発明が解決しようとする課題】
上述した従来技術による電線保護チューブ保持装置として、コルゲートチューブ１０１を保持するための電線カバー１０２を図１０に示す。図において電線カバー１０２は、可撓性のヒンジ１０５を屈曲させて、コルゲートチューブ１０１が載置されたカバー本体１０３上に、カバー蓋体１０４を被せることによってコルゲートチューブ１０１を保持するものである。
【０００５】
通常、コルゲートチューブ１０１の外形寸法は、製造過程等に起因する寸法のばらつきを考慮して、保持体であるカバー１０２の内周寸法よりも小さめに形成されており、コルゲートチューブ１０１と電線カバー１０２との間には、図１０に示すようにがたＤが発生する。この状態において、電線カバー１０２に保持されたコルゲートチューブ１０１に外部から過大な荷重が作用すると、コルゲートチューブ１０１が電線カバー１０２から離脱して外れてしまうことがあった。
【０００６】
本発明は上述のような事情に基づいて完成されたものであって、電線保護チューブの保持力を向上させ、保持体から電線保護チューブが外れることを防ぐ電線保護チューブ保持装置を提供することを目的とする。
【０００７】
【課題を解決するための手段】
上述の目的を達成するための手段として、請求項１の発明は、半割りにされて互いに係合する一対の保持体を備え、前記保持体の各々の内周面に交互に配置された係止突部と係止溝に、それぞれ電線保護チューブの外周面に形成された溝部と突条部を係止させて、前記一対の保持体を互いに係合させることによって前記電線保護チューブを保持する電線保護チューブ保持装置において、前記電線保護チューブの周上の１箇所には、前記電線保護チューブの軸方向に延びるスリットを形成するとともに、前記一対の保持体の一側の内周面には、前記スリットに挿入されることによって前記スリットを拡開させ、前記電線保護チューブの外周面を前記保持体の内周面に当接させる突起部を形成したことを特徴とする電線保護チューブ保持装置とした。
【０００８】
請求項２の発明は、前記突起部が形成された前記一側の保持体には、前記電線保護チューブを前記一側の保持体と係合させる時に、前記スリットを配置する位置の目印となるマーク部が形成されたことを特徴とする請求項１記載の電線保護チューブ保持装置とした。
【０００９】
【発明の作用及び効果】
＜請求項１の発明＞
一対の保持体の一側の内周面に突起部を形成し、突起部を電線保護チューブに形成されたスリットに挿入することによってスリットを拡開させ、電線保護チューブの外周面を保持体の内周面に当接させることで、電線保護チューブの保持力を向上させ、電線保護チューブが保持体から外れにくい電線保護チューブ保持装置とすることができる。
【００１０】
＜請求項２の発明＞
突起部が形成された一側の保持体に、電線保護チューブを一側の保持体と係合させる時に、スリットを配置する位置の目印となるマーク部を形成したことにより、保持体に電線保護チューブを装着する時に、突起部がスリットに挿入されやすいように、電線保護チューブを正確な位置に容易に配置できる。
【００１１】
【発明の実施の形態】
以下、本発明の実施形態を添付図面に基づいて説明する。電線カバー１は後述するコルゲートチューブ４０とともに、本発明の電線保護チューブ保持装置を構成し、互いに一体に形成された本体部１０および蓋部３０を備えている。本体部１０および蓋部３０は本発明の一対の保持体に該当する。図３に示すように、本体部１０と蓋部３０は互いに半割りにされて、各々箱を二分した形状をしており、本体部１０および蓋部３０を連結するヒンジ１７を屈曲させることによって、本体部１０上に蓋部３０を被せて互いに係合させ閉止することが可能である。
【００１２】
本体部１０はチューブ保持部１１とこれに連続したコネクタ連結部２１とによって構成されている。チューブ保持部１１の周囲には互いに対向した一対の保持側面１２が形成されている。保持側面１２の上面はそれぞれ平面１２ａとされ、その内周面には、ともに半円弧状の係止溝１３と係止突部１４とが交互に並設されている。
【００１３】
一側の保持側面１２の外周面には上述したヒンジ１７が一体に連結され、反対側の保持側面１２の外周面には第１係合突部１５が形成されている。図３に示したように、第１係合突部１５は上端部は下方に向けて保持側面１２から離れる方向に傾斜した斜面とされ、下端部は水平に切り立った端面とされている。更に、保持側面１２の外周端部には一対の第２係合突部１６（図１、図２および図６示）が形成され、図２に示したように、第２係合突部１６も上端部は下方に向けて保持側面１２から離れる方向に傾斜した斜面とされ、下端部は水平に切り立った端面とされている。
【００１４】
コネクタ連結部２１には下方から立ち上がり対向する一対の壁部２２が形成され、各々の壁部２２の一端側には壁部２２と連続するように、壁部２２より一段低い一対のガイド部２３が形成されている。また、一対の壁部２２の外周面には各々連結孔２４が形成されている（図２に一側のみ示す）。各々の連結孔２４は後述するコネクタハウジング５０の連結突起５４と嵌合し、電線カバー１とコネクタハウジング５０とを連結する。
【００１５】
チューブ保持部１１の内周面には、その円弧の最下点に該当する箇所にチューブ保持部１１の軸方向に延びる突起部１８が立設されている。突起部１８は軸方向の両端に位置する係止溝１３間に延び、図８に示すように、突起部１８は図において左端に位置する係止突部１４の終縁部から斜面１８ａによって立ち上がり、右端においてマーク部１９につながり、マーク部１９の鉛直面１９ａにて終わっている。
【００１６】
また、図９に示したように、突起部１８はその軸方向に垂直な断面において、チューブ保持部１１の内周面から所定の幅を備えて鉛直方向に立ち上がり、その頂部には一対の傾斜面１８ｂを備えており、尖頭形に形成されている。突起部１８のチューブ保持部１１の内周面から突出する高さは、内周面の係止溝１３より高く、係止突部１４より低く形成されている。また、マーク部１９は、コルゲートチューブ４０をチューブ保持部１１に載置する時に、後述するスリット４３を配置する位置の目印となるもので、本実施形態においては突起部１８に連続して一体に形成されている。
【００１７】
一方、蓋部３０にも、その周囲に互いに対向した一対の蓋側面３１が形成されている。蓋側面３１の上面は平面３１ａとされ、その内周面には、半円弧状の係止溝３２と係止突部３３とが交互に並設されている。一側の蓋側面３１の外周面には上述したヒンジ１７が一体に連結され、反対側の蓋側面３１の外周面には第１係合片３４が形成されている。第１係合片３４には上述した第１係合突部１５と係合する係合孔３５（図２示）が形成されている。更に、蓋側面３１の外周端部には一対の第２係合片３６が形成されており、各々の第２係合片３６にも上述した第２係合突部１６と係合する係合孔３７（図３示）がそれぞれ形成されている。
【００１８】
次に、図６乃至図９に基づいて、電線Ｗを保護するために電線カバー１に装着するコルゲートチューブ４０について説明する。図に示すように、コルゲートチューブ４０の外周面には、上述した本体部１０および蓋部３０に形成された係止溝１３、３２および係止突部１４、３３とそれぞれ係止する突条部４１および溝部４２が形成されている。
【００１９】
コルゲートチューブ４０の軸方向の一端部には、その円周上の１箇所が軸方向に切り裂かれることによって、軸方向に延びたスリット４３が形成されている。図６および図８に示すように、スリット４３はチューブ保持部１１の突起部１８が挿入可能な軸方向の長さに形成されている。また、コルゲートチューブ４０をチューブ保持部１１の内周面に装着した状態で、突起部１８に連続して形成されたマーク部１９は、コルゲートチューブ４０の端部から露出している。
【００２０】
コルゲートチューブ４０がチューブ保持部１１の内周面に載置される時、チューブ保持部１１の突起部１８が、コルゲートチューブ４０のスリット４３に挿入されることによってスリット４３が拡開し、コルゲートチューブ４０は半径方向に拡張されて、その外周面に形成された突条部４１および溝部４２が、それぞれチューブ保持部１１の内周面の係止溝１３と係止突部１４に当接することによって、コルゲートチューブ４０とチューブ保持部１１との間のがたを消滅させることができる。
【００２１】
次に、図４および図５に基づいて電線カバー１に装着されるコネクタハウジング５０について説明する。コネクタハウジング５０は、電線Ｗと連結された端子６０が収容される複数のキャビティ５２を備えた端子収容部５１と、それと連続して一体に形成されたフード部５３とによって構成されている。端子収容部５１の側面には、上述した電線カバー１の連結孔２４と係合する連結突起５４が形成されている。
【００２２】
連結突起５４はちょうど電線カバー１の第１係合突部１５の上下をひっくり返したような形状をしており、下端部は上方に向けて端子収容部５１の側面から離れる方向に傾斜した斜面とされ、上端部は水平に切り立った端面とされている。更に、コネクタハウジング５０にはコネクタハウジング５０が相手側のコネクタハウジング（図示せず）と嵌合する際にロック片として機能する係止片５５が形成されている。
【００２３】
以下に、本実施形態による電線カバー１の組立方法について説明する。先端に端子６０が接続された電線Ｗを、コルゲートチューブ４０内に挿通させた後、各端子６０をコネクタハウジング５０の各々のキャビティ５２内に挿入する。次に、コルゲートチューブ４０の突条部４１および溝部４２を、それぞれチューブ保持部１１の係止溝１３と係止突部１４とに係止させるとともに、コルゲートチューブ４０に形成されたスリット４３内に、チューブ保持部１１に形成された突起部１８を挿入するように、チューブ保持部１１上にコルゲートチューブ４０を載置する。
【００２４】
この時、マーク部１９はコルゲートチューブ４０の端部から露出しており、突起部１８のスリット４３への挿入が完了するまで視認可能であるため、スリット４３をマーク部１９の位置に合わせることで、スリット４３を突起部１８が挿入可能な正確な位置に容易に配置できる。また、突起部１８の頂部に形成された一対の傾斜面１８ｂは、スリット４３の拡開を助け、突起部１８のスリット４３への挿入を容易にしている。
【００２５】
その後、電線カバー１のヒンジ部４０を屈曲させることによって蓋部３０を半回転させ、蓋部３０の係止溝３２と係止突部３３にコルゲートチューブ４０の突条部４１および溝部４２とが係止するように本体部１０上に被せる。上述したように、チューブ保持部１１の突起部１８がスリット４３に挿入されることによって、コルゲートチューブ４０が半径方向に拡張されているため、その外周部に形成された突条部４１および溝部４２は、それぞれ蓋部３０の内周面の係止溝３２および係止突部３３に当接して、コルゲートチューブ４０と蓋部３０との間のがたも消滅させることができる。
【００２６】
尚、コルゲートチューブ４０をチューブ保持部１１に載置することによって、コルゲートチューブ４０の先端部がコネクタ連結部２１の２つのガイド部２３と所定の隙間を保って対向するため、ガイド部２３はチューブ保持部１１の係止溝１３および係止突部１４とともに、コルゲートチューブ４０の軸方向の位置ずれを防ぐ機能を有する。
【００２７】
蓋部３０を本体部１０上に被せる時、蓋部３０の平面３１ａを本体部１０の平面１２ａに係合させた後、蓋部３０の第１係合片３４の係合孔３５および第２係合片３６の係合孔３７に、本体部１０の第１係合突部１５および第２係合突部１６をそれぞれ係合させて本体部１０に蓋部３０を固定し、蓋部３０と本体部１０とによってコルゲートチューブ４０を保持して電線Ｗを保護する。その後、コネクタハウジング５０の端子収容部５１を電線カバー１のコネクタ連結部２１の上端部に嵌合させた上で、コネクタ連結部２１の連結孔２４にコネクタハウジング５０の連結突起５４を係合させて、電線カバー１にコネクタハウジング５０を固定し組付を完了する。
【００２８】
尚、電線Ｗに接続された端子６０をコネクタハウジング５０の各々のキャビティ５２内に挿入した後、コネクタハウジング５０の端子収容部５１を電線カバー１のコネクタ連結部２１の上端部に嵌合させた後に、コルゲートチューブ４０を本体部１０に載置した上で、電線カバー１の蓋部３０を本体部１０上に被せて固定してもよい。
【００２９】
上述した実施形態によれば、コルゲートチューブ４０を電線カバー１に装着する際に、チューブ保持部１１に形成された突起部１８をコルゲートチューブ４０のスリット４３に挿入することによってスリット４３が拡開し、コルゲートチューブ４０を半径方向に拡張させて、その外周面を電線カバー１の内周面に当接させることによって、コルゲートチューブ４０と電線カバー１との間のがたを消滅させることができるため、コルゲートチューブ４０の保持力を向上させ、電線カバー１からコルゲートチューブ４０が外れることを防ぐことができる。
【００３０】
また、チューブ保持体１１の内周面に、突起部１８と連続してマーク部１９を形成したため、コルゲートチューブ４０をチューブ保持部１１に載置する時、スリット４３をマーク部１９の位置に合わせることにより、突起部１８をスリット４３に容易に挿入することができる。
【００３１】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）突起部の位置を示すマーク部は、突起部と連続して一体に形成する必要はなく、突起部をスリットに挿入する時のスリットを配置する位置の目印となることができれば、突起部とは別個に任意の形状に形成することができる。
（２）本発明は電線カバーに限らず、コネクタ等のあらゆる種類の電線保護チューブ保持装置に適用可能である。
（３）コルゲートチューブのスリットに挿入される突起部は、蓋部の内周面に形成されてもよい。
【図面の簡単な説明】
【図１】本発明を適用した電線カバーの展開した時の平面図である。
【図２】図１の正面図である。
【図３】図２の側面図である。
【図４】電線カバーと係合するコネクタハウジングの正面図である。
【図５】図４の下面図である。
【図６】電線カバーのチューブ保持部にコルゲートチューブを載置したところを示す平面図である。
【図７】コルゲートチューブを装着した電線カバーの外観を示す正面図である。
【図８】図７のコルゲートチューブの軸方向断面図である。
【図９】図８のＡ−Ａ断面図である。
【図１０】従来技術による電線カバーにコルゲートチューブを載置したところを示す平面図である。
【符号の説明】
１…電線カバー
１０…本体部
１３…係止溝
１４…係止突部
１８…突起部
１９…マーク部
３０…蓋部
３２…係止溝
３３…係止突部
４０…コルゲートチューブ
４１…突条部
４２…溝部
【図１】
2004357386.tif 000003
【図２】
2004357386.tif 000004
【図３】
2004357386.tif 000005
【図４】
2004357386.tif 000006
【図５】
2004357386.tif 000007
【図６】
2004357386.tif 000008
【図７】
2004357386.tif 000009
【図８】
2004357386.tif 000010
【図９】
2004357386.tif 000011
【図１０】
2004357386.tif 000012